(57)【特許請求の範囲】
【請求項１】
マイクロホンユニットと、周壁に軸線方向に沿って開口が形成されると共に、後端に前記マイクロホンユニットが連結された音響管と、前記音響管を収容する円筒状のマイクロホンケースとを具備する狭指向性マイクロホンであって、
前記マイクロホンケースに収容された音響管に対し、該音響管の後端側を支点として、
該音響管の先端側から軸線方向に応力を与えた状態で該音響管をマイクロホンケース内に固定する固定手段を備え、
前記固定手段は、
前記音響管の先端側内周面に形成された第一の螺子部と、前記マイクロホンケースの先端に対し、周縁下面が軸線方向に係止可能に形成されると共に、前記第一の螺子部に螺合する第二の螺子部が外周面に形成された先端カバーと、前記マイクロホンケース内において該マイクロホンケースに対し前記音響管の後端側を固定可能な後端側固定手段とを有し、
前記音響管がマイクロホンケースに収容され、前記音響管の後端側が前記後端側固定手段により固定された状態で、前記先端カバーの第二の螺子部が前記音響管の先端側内周面に形成された前記第一の螺子部に螺入され、該先端カバーの周縁下面が前記マイクロホンケースの先端に対し軸線方向に係止すると共に、該先端カバーが周方向に回転されることによって、
前記音響管は、前記マイクロホンケース内において、その後端側が支点となり、先端側から軸線方向に牽引された状態で固定されることを特徴とする狭指向性マイクロホン。
【請求項２】
前記マイクロホンケースと前記音響管の後端側側面には、径方向に螺子孔が穿設され、
前記螺子孔に螺子が螺入されることにより、前記音響管の後端側は、前記マイクロホンケースに対し固定されることを特徴とする請求項１に記載された狭指向性マイクロホン。
【発明の詳細な説明】
【技術分野】
【０００１】
本発明は、音響管にマイクロホンユニットを装着してなる狭指向性マイクロホンに関し、さらに詳しく言えば、マイクロホンケースに収容された内蔵部品のがたつきが無く、機械強度の高い狭指向性マイクロホンの技術に関する。
【背景技術】
【０００２】
狭指向性マイクロホンとして、細長い音響管を用いるものが知られている。これは、音響管の一端部内周側にマイクロホンユニットを装着し、音響管の他端である前端の開口から入ってくる音波をマイクロホンユニットで検出し音声信号に変換するものである。
音響管を用いる従来の狭指向性マイクロホンの例として、図６に示すように金属管からなる音響管５０を用い、この音響管５０の周壁にスリット状などの開口５１を中心軸線方向に沿って設け、合成樹脂薄膜、不織布などからなる音響抵抗体（図示せず）を音響管５０の周壁に貼り付けて、前記開口５１を前記音響抵抗体で覆ったものがある。
【０００３】
かかる構成の狭指向性マイクロホンは、音響管５０の前端開口５３から入る音波のうち、周方向から回り込んでくる音波を、前記音響抵抗体を経て音響管５０の周壁開口５１から導かれる音波と干渉させることにより、狭指向性を実現している。
尚、前記のように細長い音響管を用いる狭指向性マイクロホンについては、特許文献１に開示されている。
【先行技術文献】
【特許文献】
【０００４】
【特許文献１】特開２０１０−２４５９９４号公報
【発明の概要】
【発明が解決しようとする課題】
【０００５】
ところで、音響管５０において低い周波数の音波まで検出可能な狭指向性を得るためには、軸長を長く形成する必要がある。
また、狭指向性マイクロホンは、屋外で使用されることが多いため、機械的な強度が求められる。このため、特許文献１にも開示されるように、前記音響管５０は、円筒状筐体であるマイクロホンケース（図示せず）に収容されて使用される。
【０００６】
しかしながら、音響管５０と前記マイクロホンケースとは、略密着しているものの、音響管５０が長いと、手持ち等による使用中に、マイクロホンケースと音響管５０との間に軸線方向、或いは径方向に僅かなずれが生じ、ケース内の内蔵部品（音響管、マイクロホンユニット、コネクタ部品等）にがたつきが生じることがあった。
また、内蔵部品のがたつきによって生じた異音がマイクロホンユニットに検出されるという課題があった。
【０００７】
本発明は、前記した点に着目してなされたものであり、音響管にマイクロホンユニットが装着され、前記音響管がマイクロホンケースに収容された狭指向性マイクロホンにおいて、マイクロホンケース内の内蔵部品にがたつきが生じることがなく、機械的強度の高い狭指向性マイクロホンを提供することを目的とする。
【課題を解決するための手段】
【０００８】
前記した課題を解決するために、本発明に係る狭指向性マイクロホンは、マイクロホンユニットと、周壁に軸線方向に沿って開口が形成されると共に、後端に前記マイクロホンユニットが連結された音響管と、前記音響管を収容する円筒状のマイクロホンケースとを具備する狭指向性マイクロホンであって、前記マイクロホンケースに収容された音響管に対し、該音響管の後端側を支点として、該音響管の先端側から軸線方向に応力を与えた状態で該音響管をマイクロホンケース内に固定する固定手段を備え、前記固定手段は、前記音響管の先端側内周面に形成された第一の螺子部と、前記マイクロホンケースの先端に対し、周縁下面が軸線方向に係止可能に形成されると共に、前記第一の螺子部に螺合する第二の螺子部が外周面に形成された先端カバーと、前記マイクロホンケース内において該マイクロホンケースに対し前記音響管の後端側を固定可能な後端側固定手段とを有し、前記音響管がマイクロホンケースに収容され、前記音響管の後端側が前記後端側固定手段により固定された状態で、前記先端カバーの第二の螺子部が前記音響管の先端側内周面に形成された前記第一の螺子部に螺入され、該先端カバーの周縁下面が前記マイクロホンケースの先端に対し軸線方向に係止すると共に、該先端カバーが周方向に回転されることによって、前記音響管は、前記マイクロホンケース内において、その後端側が支点となり、先端側から軸線方向に牽引された状態で固定されることに特徴を有する。
【０００９】
尚、前記マイクロホンケースと前記音響管の後端側側面には、径方向に螺子孔が穿設され、前記螺子孔に螺子が螺入されることにより、前記音響管の後端側は、前記マイクロホンケースに対し固定されることが望ましい。
【００１２】
このような構成によれば、マイクロホンケースに収容された音響管に対し、その後端側を支点として、先端側から軸線方向に牽引力（伸長方向の応力）を与え、その状態のままマイクロホンケース内に固定することができる。
これにより、マイクロホンケースの内蔵部品である音響管のがたつきを防止し、機械的強度の高い狭指向性マイクロホンを得ることができる。
【発明の効果】
【００１３】
本発明によれば、音響管にマイクロホンユニットが装着され、前記音響管がマイクロホンケースに収容された狭指向性マイクロホンにおいて、マイクロホンケース内の内蔵部品にがたつきが生じることがなく、機械的強度の高い狭指向性マイクロホンを提供することができる。
【図面の簡単な説明】
【００１４】
【図１】図１は、本発明に係る狭指向性マイクロホンの第一の実施形態の構成を示す断面図である。
【図２】図２は、図１の狭指向性マイクロホンを構成する各部品の断面図である。
【図３】図３は、図１の狭指向性マイクロホンを構成する各部品の一部拡大断面図である。
【図４】図４は、本発明に係る狭指向性マイクロホンの第二の実施形態の構成を示す断面図である。
【図５】図５は、図４の狭指向性マイクロホンを構成する各部品の断面図である。
【図６】図６は、狭指向性マイクロホンの外観を示す正面図である。
【発明を実施するための形態】
【００１５】
以下、本発明の実施の形態を図面に基づき説明する。図１は本発明に係る狭指向性マイクロホンの第一の実施形態を示す断面図である。
図１に示す狭指向性マイクロホン１は、マイクロホンユニット２と、このマイクロホンユニット２が後端側に装着される音響管３と、マイクロホンユニット２及び音響管３を収容するマイクロホンケース４とを具備する。また、音響管３の外周面全体は、音響抵抗材５によって覆われている。
【００１６】
マイクロホンユニット２は、音響管３の後端（図１において下端）に連結される取付部２０と、音声信号出力回路基板２１と、コネクタ部２２とを有する。また、音声信号出力回路基板２１は、例えばアルミからなる円筒状のカバー２３により覆われている。
前記取付部２０は、図２（ａ）に示すように、その周縁に、環状の係止突起２０ａ（係止手段、固定手段）が形成されている。一方、音響管３の後端周縁には、前記係止突起２０ａが係止可能な段差部３ａ（係止手段、固定手段）が形成されており、音響管３とマイクロホンユニット２とが連結されると、図１のように前記係止部２０ａが前記段差部３ａに係止するようになっている。
【００１７】
また、音響管３は、主にアルミや鉄などの主に金属からなる細長い長方形状の板を素材としており、この素材が短辺方向に丸められて、図２（ａ）に示すように細長い円筒状に形成されている。前記音響管３の両端は開放されており、前記のように後端（図１において下端部）にマイクロホンユニット２が配置されている。また、図１、図２（ａ）に示すように音響管３の周壁には、軸線方向に沿ってスリット状の開口６が複数形成されている。
【００１８】
また、図２（ｂ）に示すように円筒状のマイクロホンケース４の周壁には、前記音響管３の開口６の位置に対応して複数の開口７が形成されている。また、このマイクロホンケース４の両端は開放されており、その先端（図１において上端）には、多数の孔が形成されたメッシュカバー８ａを有する先端カバー８が装着されている。
また、図３（ｂ）に示すようにマイクロホンケース４の先端側内周面には螺子溝４ａ（第一の螺子部、固定手段）が形成されている。一方、先端カバー８の外周面には前記螺子溝４ａに対応する螺子山８ｂが形成されており、先端カバー８は、マイクロホンケース４の先端に螺合により装着されている。
【００１９】
また、図２（ａ）に示すように、マイクロホンユニット２の側面には、径方向に沿って複数の螺子孔２ａが穿設され、図２（ｂ）に示すようにマイクロホンケース４の側面には、前記螺子孔２ａに対応する螺子孔４ｂが設けられている。
マイクロホンケース４に収容されたマイクロホンユニット２は、複数の螺子孔２ａに対し、マイクロホンケース４の外側面（螺子孔４ｂ）から螺子留めされている。これにより、マイクロホンケース４内においてマイクロホンユニット２が固定されている。
【００２０】
また、マイクロホンケース４に収容された音響管３は、図３（ａ）に示すように内側に環状フランジ９ａを有するフランジリング９と、外周面に螺子山１０ａ（第二の螺子部）が形成された環状螺子１０（固定手段）とによりマイクロホンケース４内で固定されている。尚、前記環状螺子１０の螺子山１０ａは、マイクロホンケース４の先端側内周面に形成された前記螺子溝４ａに螺合可能に形成されている。
【００２１】
マイクロホンケース４内へ音響管３を固定する際の手順について具体的に説明すると、先ず、マイクロホンケース４の後部側にマイクロホンユニット２を収容し、複数の螺子孔２ａを利用して螺子留めする。
次にマイクロホンケース４の先端側から音響管３を挿入し、その後端に形成された段差部３ａをマイクロホンユニット２の係止突起２０ａに係止する。
また、音響管３の先端にフランジリング９を被せ、環状フランジ９ａを前記音響管３の先端に係止する。
【００２２】
次いで、図３（ｃ）に示すように、前記螺子溝４ａに対し環状螺子１０を螺入する。
ここで、音響管３の後端側は、マイクロホンユニット２側に係止しているため支点となり、音響管３は、その先端側から前記環状螺子１０によりフランジリング９を介して押圧される。即ち、前記環状螺子１０が螺入されるに従い、音響管３は、マイクロホンケース４内において軸線方向に徐々に圧縮され、固定されることとなる。
尚、前記のように音響管３が固定されると、図３（ｃ）に示すように先端カバー８がマイクロホンケース４の先端に螺合され、装着される。
【００２３】
以上のように、本発明にかかる第一の実施の形態によれば、マイクロホンケース４に収容された音響管３に対し、その後端側を支点として、先端側から軸線方向に押圧力が与えられ、その状態のままマイクロホンケース４内に固定される。
また、マイクロホンケース４に収容されたマイクロホンユニット２は、マイクロホンケース４の外側面から螺子留めされ、マイクロホンケース４内に固定される。
これにより、マイクロホンケース４の内蔵部品である音響管３とマイクロホンユニット２のがたつきを防止し、機械的強度の高い狭指向性マイクロホンを得ることができる。
【００２４】
尚、前記実施の形態においては、マイクロホンケース４内に固定されたマイクロホンユニット２に対し、音響管３の後端側が係止することにより、その後端側に支点が形成されるものとしたが、前記支点を形成する手段は、前記構成に限定されるものではない。
例えば、マイクロホンケース４に収容された音響管３の後端側と、マイクロホンケース４とを螺子留めにより固定し、音響管３の後端側に支点を形成するようにしてもよい。
【００２５】
続いて、図４，図５を用いて本発明にかかる第二の実施形態について説明する。
尚、この第二の実施形態において、先に図１乃至図３を用いて説明した第一の実施形態と実質的に同じ機能を有する構成要素については同一の符号で示し、その詳細な説明は省略する。
図４に示す狭指向性マイクロホン１は、マイクロホンユニット２と、このマイクロホンユニット２が後端に装着される音響管３と、音響管３を収容するマイクロホンケース４０とを具備する。また、音響管３の外周面全体は、音響抵抗材５によって覆われている。
【００２６】
マイクロホンユニット２において、音響管３と連結する取付部２０は、前記第一の実施形態と異なり、図５（ａ）に示すように音響管３の後端側（図において下端側）に挿入可能な筒状の挿入部２０ｂと、挿入部２０ｂの側面に設けられた螺子孔２０ｃとを有している。また、前記マイクロホンユニット２の螺子孔２０ｃに対応して、図５（ａ）に示すように音響管３の後端側側面（図において下端部側側面）には螺子孔３ｂ（後端側固定手段、固定手段）が設けられ、図５（ｂ）に示すようにマイクロホンケース４０の後端側側面（図において下端部側側面）には螺子孔４０ａ（後端側固定手段、固定手段）が形成されている。
【００２７】
したがって、図４に示すようにマイクロホンユニット２の取付部２０（挿入部２０ａ）を音響管３の後端部に挿入し、更に音響管３をマイクロホンケース４０に収容すると、前記螺子孔２０ｃ、３ｂ、４０ａが一致し、そこに螺子１１（後端側固定手段、固定手段）が螺合されることによって、音響管３とマイクロホンケース４の後端部、及びマイクロホンユニット２の先端部が互いに連結固定されるようになっている。
【００２８】
また、図５（ａ）に示すように音響管３の先端側内周面には、螺子溝３ｃ（第三の螺子部、固定手段）が設けられている。
一方、先端カバー８（固定手段）の外周面には前記螺子溝３ｃに対応する螺子山８ｃ（第四の螺子部）が形成されており、先端カバー８は、音響管３の先端に螺合により装着されている。
ここで、前記のようにマイクロホンケース４０に対し後端側が螺子１１により固定された音響管３は、前記先端カバー８が装着されることによってマイクロホンケース４０に対し固定される。
【００２９】
マイクロホンケース４０内へ音響管３を固定する際の手順について具体的に説明すると、先ず、マイクロホンユニット２の取付部２０（挿入部２０ｂ）が音響管３の後端側に挿入され、更に音響管３にマイクロホンケース４０が被せられる。
次いで、螺子孔２０ｃ、３ｂ、４０ａに螺子１１が螺合され、音響管３とマイクロホンケース４の後端部、及びマイクロホンユニット２の先端部が互いに連結固定される（音響管３の後端側が固定される）。
そして、マイクロホンケース４０に収容された音響管３の先端部に先端カバー８が螺入される。
螺入が進むと、先端カバー８は、その周縁下面８ｄがマイクロホンケース４０の先端面４０ｂに対し軸線方向に係止した状態で、螺入方向（周方向）に回転される。
これにより、音響管３の後端側が支点となり、音響管３は、その先端側から軸線方向（図において上側）に沿って牽引される。即ち、前記先端カバー８が螺入方向に回転されるに従い、音響管３は、マイクロホンケース４内において軸線方向に徐々に牽引され、固定されることとなる。
【００３０】
このように第二の実施形態によれば、マイクロホンケース４に収容された音響管３に対し、その後端側を支点として、先端側から軸線方向に牽引力（伸長方向の応力）が与えられ、その状態のままマイクロホンケース４内に固定される。
これにより、マイクロホンケース４の内蔵部品である音響管３のがたつきを防止し、機械的強度の高い狭指向性マイクロホンを得ることができる。
【００３１】
尚、前記第一、第二の実施形態においては、第一、第三の螺子部は螺子溝とし、第二、第四の螺子部は螺子山としたが、その形状は限定されるものではなく、例えば、第一、第三の螺子部は螺子山とし、第二、第四の螺子部は螺子溝としてもよい。即ち、第一（第三）の螺子部と第二（第四）の螺子部とが互いに螺合可能な形状であればよい。
【符号の説明】
【００３２】
１          狭指向性マイクロホン
２          マイクロホンユニット
３          音響管
３ａ        段差部（係止手段、固定手段）
３ｂ        螺子孔（後端側固定手段、固定手段）
３ｃ        螺子溝（第三の螺子部、固定手段）
４          マイクロホンケース
４ａ        螺子溝（第一の螺子部、固定手段）
６          開口
８          先端カバー
８ｃ        螺子山（第四の螺子部）
９          フランジリング
１０        環状螺子（固定手段）
１０ａ      螺子山（第二の螺子部）
１１        螺子（後端側固定手段、固定手段）
２０ａ      係止突起（係止手段、固定手段）
２０ｃ      螺子穴
４０        マイクロホンケース
４０ａ      螺子孔（後端側固定手段、固定手段）
【図１】
0005630872.tif 000002
【図２】
0005630872.tif 000003
【図３】
0005630872.tif 000004
【図４】
0005630872.tif 000005
【図５】
0005630872.tif 000006
【図６】
0005630872.tif 000007